(57)【要約】【課題】携帯電話機１を充電する充電台において、携帯電話機１に設計変更を施すことなく充分な放熱効果が得られ、然も空冷ファン等による強制冷却が不要な充電台３を提供する。【解決手段】本発明に係る充電台３は、ケーシング３１の支持部３２の表面に、携帯電話機１と密着可能であってケーシング３１を形成する材質よりも熱伝導性の高い材質からなる吸熱面３０が設けられると共に、ケーシング３１には吸気及び排気のための通気孔３４が開設されている。【選択図】図１
2007265800.tif 000002
【特許請求の範囲】
【請求項１】
ケーシングに携帯型電子機器の支持部を有して該支持部上の携帯型電子機器を充電する充電台において、前記ケーシングの支持部の表面には、携帯型電子機器と密着可能であって該ケーシングを形成する材質よりも熱伝導性の高い材質からなる吸熱面が設けられると共に、該ケーシングには、ケーシング内の熱を外部へ排出するための排熱機構が設けられていることを特徴とする充電台。
【請求項２】
前記排熱機構は、ケーシングに開設された吸気及び排気のための開口によって構成されている請求項１に記載の充電台。
【請求項３】
前記支持部は、その表面が略水平に形成され、前記ケーシングには、該支持部を挟んで前後若しくは左右の両方又は一方に通気孔が開設されて、前記開口を形成している請求項２に記載の充電台。
【請求項４】
前記支持部は、その表面が傾斜して形成され、前記ケーシングには、該支持部を挟んで下方に吸気孔、上方に排気孔が開設されて、前記開口を形成している請求項２に記載の充電台。
【請求項５】
前記支持部は、その全体が前記ケーシングを形成する材質よりも熱伝導性の高い材質から形成され、該支持部の背面には、ケーシング内へ向けて突出する放熱フィンが一体成型されている請求項１乃至請求項４の何れかに記載の充電台。
【請求項６】
前記支持部の表面には熱伝導性樹脂をコーティングして、該熱伝導性樹脂によって前記吸熱面を形成している請求項１乃至請求項５の何れかに記載の充電台。
【発明の詳細な説明】
【技術分野】
【０００１】
本発明は、携帯電話機等の携帯型電子機器を充電するための充電台に関するものである。
【背景技術】
【０００２】
近年、携帯電話機においては、多機能化が進んでおり、例えばテレビジョン放送の受信機能を具えたものが開発されている。
テレビジョン放送受信機能を具えた携帯電話機においては、テレビジョン放送受信時の消費電力が大きくなるため、図２に示す如く充電台(４)に携帯電話機(１)を設置して、操作側筐体(11)に内蔵されたバッテリに充電を行ないながら、表示側筐体(12)に配備されたディスプレイにテレビジョン放送を映し出すことが行なわれる。
【０００３】
充電台(４)は、合成樹脂製のケーシング(41)に、携帯電話機(１)を支持すべき支持部(42)を形成し、ケーシング(41)の内部空間(20)には、充電装置(図示省略)が収容されている。
該充電台(４)においては、携帯電話機(１)をケーシング(41)の支持部(42)に支持した状態で、該支持部(42)の表面(40)と操作側筐体(11)の背面との間には、出来るだけ大きな隙間を設けて、充電時の携帯電話機(１)の発熱を放散させる構造が採られている。
【０００４】
しかしながら、テレビジョン放送受信機能を具えた携帯電話機(１)においては、上述の如く放送受信時の消費電力が大きく、長時間に亘って且つ大電流による充電が行なわれるため、携帯電話機(１)の回路基板からの発熱に加え、操作側筐体(11)に内蔵されたバッテリの発熱が大きくなり、携帯電話機(１)と充電台(４)の間の僅かな隙間からの放熱だけでは十分な放熱効果が得られない。この結果、携帯電話機(１)が高温となる問題があった。
【０００５】
そこで、充電すべき機器のケーシングの上部に吸気孔、底部に排気孔を開設する一方、充電台のケーシングには、機器支持部に吸気孔、底部に排気孔を開設すると共に、空冷ファンを内蔵して、機器の吸気孔から排気孔へ、そして充電台の吸気孔から排気孔に至る空気流路を形成して、機器の内部を強制冷却する構造が提案されている(特許文献１)。
【特許文献１】特開２０００−２６９６７２号公報［H05K7/20］
【発明の開示】
【発明が解決しようとする課題】
【０００６】
ところが、上述の冷却構造においては、充電すべき機器のケーシングに吸気孔と排気孔を開設する設計変更が必要であるばかりでなく、充電台のケーシングに空冷ファンを設置するためのスペースが不可欠となって、充電台の大型化を招く問題がある。
【０００７】
そこで本発明の目的は、充電すべき機器に設計変更を施すことなく充分な放熱効果が得られ、然も空冷ファン等による強制冷却が不要な充電台を提供することである。
【課題を解決するための手段】
【０００８】
本発明に係る充電台は、ケーシングに携帯型電子機器の支持部を有して該支持部上の携帯型電子機器を充電するものであって、前記ケーシングの支持部の表面には、携帯型電子機器と密着可能であって該ケーシングを形成する材質よりも熱伝導性の高い材質からなる吸熱面が設けられると共に、該ケーシングには、吸気及び排気のための開口が形成されている。
【０００９】
上記本発明の充電台においては、ケーシングの支持部に携帯型電子機器を設置して充電を行なう過程で機器が発熱することになるが、該機器の背面がケーシングの吸熱面に密着し、機器から発生する熱は、高い熱伝導率で該吸熱面に伝わって吸熱され、更にケーシングの内部へ放散される。これによってケーシング内の空気は加熱されるが、その熱は、開口を通じた吸気及び排気によって外部へ放出される。
この結果、充分な放熱効果が得られ、携帯型電子機器が発熱によって高温となることはない。
【００１０】
具体的構成において、前記支持部は、その全体が前記ケーシングを形成する材質よりも熱伝導性の高い材質から形成され、該支持部の背面には、ケーシング内へ向けて突出する放熱フィンが一体成型されている。
該具体的構成によれば、携帯型電子機器から発生する熱が、高い熱伝導率でケーシングの支持部に伝わり、更に放熱フィンによってケーシングの内部へ効率的に放散される。
【００１１】
又、具体的構成において、前記支持部の表面には熱伝導性樹脂をコーティングして、該熱伝導性樹脂によって前記吸熱面を形成している。
該具体的構成によれば、支持部の表面と携帯型電子機器の背面との間の密着性が向上する。
【００１２】
更に具体的な構成において、前記支持部は、その表面が略水平に形成され、前記ケーシングには、該支持部を挟んで前後若しくは左右の両方又は一方に通気孔が開設されて、前記開口を形成している。
該具体的構成においては、通気孔により吸気と排気が行なわれ、これによってケーシング内の熱が外部へ放出される。
【００１３】
他の具体的な構成において、前記支持部は、その表面が傾斜して形成され、前記ケーシングには、該支持部を挟んで下方に吸気孔、上方に排気孔が開設されて、前記開口を形成している。
該具体的構成においては、吸気孔からケーシングの内部に空気が吸入され、その空気が排気孔からケーシングの外部へ排出されて、ケーシング内の熱が外部へ放出される。
【発明の効果】
【００１４】
本発明に係る充電台によれば、充電すべき携帯型電子機器に設計変更を施すことなく充分な放熱効果が得られ、空冷ファン等による強制冷却は必ずしも必要としない。
【発明を実施するための最良の形態】
【００１５】
以下、本発明を折り畳み式携帯電話機の充電台に実施した形態につき、図面に沿って具体的に説明する。
図３に示す如く、充電の対象とする携帯電話機(１)は、操作キー(13)が配備された操作側筐体(11)と、ディスプレイ(14)が配備された表示側筐体(12)とを具え、両筐体(11)(12)の開閉操作が可能であって、電話通信機能とテレビジョン放送受信機能とを有している。
【００１６】
該携帯電話機(１)は、図１に示す様に、表示側筐体(12)を開いて操作側筐体(11)を水平とした姿勢で充電台(３)に設置し、操作側筐体(11)内のバッテリを充電しながら、表示側筐体(12)のディスプレイによってテレビジョン放送を観ることが出来る。
【００１７】
一方、充電台(３)は、充電装置(図示省略)を内蔵した扁平な合成樹脂製のケーシング(31)を具え、該ケーシング(31)の上面開口を塞いで、アルミニウムの成型品からなる吸熱支持部(32)が水平に取り付けられている。
吸熱支持部(32)の表面は、携帯電話機(１)の操作側筐体(11)の背面の凹凸形状に応じた凹凸面に形成され、該表面には熱伝導性樹脂をコーティングして、携帯電話機(１)の操作側筐体(11)の背面と密着可能な吸熱面(30)を形成している。又、吸熱支持部(32)の背面には、ケーシング(31)の内部空間(２)へ向けて突出する複数枚の放熱フィン(33)が一体成型されている。
又、充電台(３)のケーシング(31)には、吸熱支持部(32)を挟んで前後の前面及び後面に、それぞれ複数の通気孔(34)(34)が開設されている。
【００１８】
上記充電台(３)においては、携帯電話機(１)を充電しながらテレビジョン放送を視聴する場合、図１に示す様に吸熱支持部(32)に携帯電話機(１)を設置することにより、操作側筐体(11)の背面が吸熱支持部(32)の吸熱面(30)に密着し、携帯電話機(１)から発生する熱は、高い熱伝導率で該吸熱面(30)から吸熱支持部(32)に伝わって、吸熱支持部(32)により吸熱される。
そして、吸熱支持部(32)の熱は、図中に矢印で示す様に、放熱フィン(33)によって効率的にケーシング(31)の内部空間(２)へ放散される。
【００１９】
これによってケーシング(31)内の空気は加熱されるが、ケーシング(31)の通気孔(34)(34)によって吸気と排気が行なわれ、これによってケーシング(31)内の熱が外部へ放出される。
従って、充分な放熱効果が得られ、携帯電話機(１)が発熱によって高温となることはない。
【００２０】
図４に示す充電台(３)は、携帯電話機(１)を開いて操作側筐体(11)を立てた姿勢で支持するものであって、ケーシング(35)には、操作側筐体(11)の背面と密着可能なアルミニウム製の吸熱支持部(36)が傾斜角度をもって設置され、該吸熱支持部(36)の背面には、複数枚の放熱フィン(37)が突設されている。
又、ケーシング(35)には、吸熱支持部(36)の下方位置に吸気孔(38)が開設されると共に、吸熱支持部(36)の上方位置に排気孔(39)が開設されている。
【００２１】
上記充電台(３)においては、携帯電話機(１)を充電しながらテレビジョン放送を視聴する場合、図４に示す様に吸熱支持部(36)に携帯電話機(１)を設置することにより、操作側筐体(11)の背面が吸熱支持部(36)に密着し、携帯電話機(１)から発生する熱は、高い熱伝導率で吸熱支持部(36)に伝わって、吸熱支持部(36)により吸熱される。
そして、吸熱支持部(36)の熱は、放熱フィン(37)によって効率的にケーシング(35)内へ放散される。
【００２２】
これによってケーシング(35)内の空気は加熱されるが、図４に矢印で示す様に、吸気孔(38)からケーシング(35)の内部に低温の空気が吸入され、前記加熱によって高温となった空気が排気孔(39)からケーシング(35)の外部へ排出されて、ケーシング(35)内の熱が外部へ放出される。
従って、充分な放熱効果が得られ、携帯電話機(１)が発熱によって高温となることはない。
【００２３】
図５は、本発明に係る充電台の効果を説明するグラフであって、充電開始以後の携帯電話機の温度変化を表わしている。
従来の通常の充電台においては、時間の経過とともに温度が上昇し、室温よりも遙かに高い温度で飽和することになる。
【００２４】
これに対し、吸熱支持部の吸熱面を携帯電話機の背面に密着させた吸熱機構のみを有し、放熱フィン及び通気孔による排熱機構を有しない充電台では、吸熱による冷却効果によって、温度上昇のカーブは緩やかとなるものの、長時間が経過した後の飽和温度は、通常の充電台における飽和温度と大差はない。
【００２５】
一方、吸熱機構と排熱機構の両方を設けた本発明の充電台では、温度上昇のカーブは更に緩やかとなり、然も、一定時間経過後の飽和温度は、通常の充電台における飽和温度よりも著しく低下することになる。
【００２６】
本発明に係る充電台(３)の各部構成は上記実施例に限らず、特許請求の範囲に記載の技術的範囲内で種々の変形が可能である。吸熱支持部(32)は、金属製に限らず、合成樹脂よりも熱伝導性の高い材料、例えば、熱伝導性シリコン、カーボングラファイト等から形成することも可能である。
又、吸熱支持部(32)の放熱フィン(33)をケーシング(31)の外側へ向けて突設した構成も採用可能である。
【００２７】
尚、本発明に係る充電台(３)によれば、上記の実施例の如く自然冷却によって充分な放熱効果が得られるが、例えば吸熱支持部(32)の放熱フィン(33)に替えてペルチェ素子を設置し、吸熱支持部(32)を強制冷却することも可能であって、これによって更に高い放熱効果が得られる。
【図面の簡単な説明】
【００２８】
【図１】本発明に係る充電台に携帯電話機を設置した状態を示す断面図である。
【図２】従来の充電台に携帯電話機を設置した状態を示す断面図である。
【図３】本発明に係る充電台と携帯電話機を示す斜視図である。
【図４】他の構成を有する本発明の充電台に携帯電話機を設置した状態を示す断面図である。
【図５】携帯電話機の充電時の温度上昇を示すグラフである。
【符号の説明】
【００２９】
(１)  携帯電話機
(11)  操作側筐体
(12)  表示側筐体
(３)  充電台
(30)  吸熱面
(31)  ケーシング
(32)  吸熱支持部
(33)  放熱フィン
(34)  通気孔
【図１】
2007265800.tif 000003
【図２】
2007265800.tif 000004
【図３】
2007265800.tif 000005
【図４】
2007265800.tif 000006
【図５】
2007265800.tif 000007